(57)【特許請求の範囲】
【請求項１】
覗き窓を有する消火器扉を開閉自在に設けた筐体内に消火器を収納したトンネル消火器装置に於いて、
前記覗き窓を介して外部から視認可能な所定位置に前記消火器を配置する位置決め構造を設け、
前記位置決め構造は、消火器配置位置の後方側に起立され、前記消火器の後部を当接して位置決めする位置決め部材を備え
該位置決め構造に消火器の有無状態の変化を前記覗き窓から確認する認識マークを設け
たことを特徴とするトンネル消火器装置。
【請求項２】
請求項１記載のトンネル消火器装置に於いて、前記位置決め構造は、
消火器配置位置となる円周方向に配置された消火器底部受け部材を備えたことを特徴とするトンネル消火器装置。
【請求項３】
請求項１記載のトンネル消火器装置に於いて、前記位置決め構造は、
消火器配置位置の後方側に設けられ前記消火器を着脱自在に挟み込んで所定位置に保持する挟み込みバンドを備えたことを特徴とするトンネル消火器装置。
【発明の詳細な説明】
【技術分野】
【０００１】
本発明は、トンネル内に設置され、火災時に使用するノズル付きホースに加え消火器を収納したトンネル消火器装置に関する。
【背景技術】
【０００２】
従来、高速道路や自動車専用道路などのトンネルに設置されるトンネル消火栓装置は、開放自在な消火栓扉を備えた筐体内に、ノズル付きホースとバルブ類を収納し、更に、開閉自在な消火器扉を備えた消火器収納部に例えば２本の消火器を収納している。
【０００３】
このようなトンネル消火栓装置は、トンネル内の側壁に沿って例えば５０メートル間隔で設置されており、火災時には、筐体前面の消火栓扉を開いてノズル付きのホースを引き出し、消火栓開閉レバーを開位置に操作して消火用水をノズルから放出するようにしている。また、消火栓扉の横に配置されている消火器扉を開き、中に収納されている消火器を取り出して消火薬剤を放出することができる。
【０００４】
このようなトンネル消火栓装置にあっては、例えばトンネル施工が完了した段階で、５０メートル間隔で設置されているトンネル消火栓装置に正しく消火器が収納されていることを確認する作業を行っており、従来は、担当者が一台ずつ消火器扉を開けて、消火器が収納されていることを確認する作業を行っており、数キロを越えるような長いトンネルの場合には、消火器の確認に手間と時間がかかるという問題がある。
【０００５】
この問題を解決するため、消火器扉に覗き窓を設け、消火器が収納されているか否かの確認が簡単かつ容易にできるようにしている。この覗き窓は、火災時に一般運転者が消火器の有無を認識できる窓としても有効である。
【先行技術文献】
【特許文献】
【０００６】
【特許文献１】特開２００５−３１８９７２号公報
【発明の概要】
【発明が解決しようとする課題】
【０００７】
しかしながら、このような消火器扉に覗き窓を設けた従来のトンネル消火栓装置にあっては、消火器扉の内側となる消火器収納部の底部に配置した台座の上に、横に並べて２本の消火器を収納しているだけであり、消火器の収納位置によっては消火器扉に設けた覗き窓から見て収納している消火器が見えづらい場合がある。
【０００８】
特に覗き窓を利用した消火器が収納されているか否かの確認作業は、例えば点検車両からトンネル壁面に向けてライトからの光を当てて走行しながら確認することを予定しており、覗き窓から見て消火器が視認し易い位置に収納されていないと、判断を誤る可能性がある。また、例えば時速７０Ｋｍで走行する車両から点検を行うときには、数秒間隔で通過する消火栓の覗き窓内を見る必要があり、内部の監視が大変であった。
【０００９】
また、消火器を使用する場合には、筐体前面に取り付けられた化粧板の消火器扉を開放し、消火器取り出し用の扉開口部から消火器を取り出すが、消火器を手前に引っ張って取り出す際に、消火器が扉開口部の下端縁にぶつかり、化粧板を損傷することがあり、定期的に化粧板が損傷していないか確認する作業を行う必要がある。化粧板が損傷している場合は交換作業が必要となる。
【００１０】
本発明は、覗き窓を利用して消火器が収納されているか否かの確認が確実にできるようにできるトンネル消火器装置を提供することを目的とする。
また本発明は火災等で消火器を移動させた場合に化粧板が損傷して、装置の交換を行う頻度を抑えることができるトンネル消火器装置を提供することを目的とする。
【課題を解決するための手段】
【００１１】
本発明は、覗き窓を有する消火器扉を開閉自在に設けた筐体内に消火器を収納したトンネル消火器装置に於いて、
覗き窓を介して外部から視認可能な所定位置に消火器を配置する位置決め構造を設け、
前記位置決め構造は、消火器配置位置の後方側に起立され、前記消火器の後部を当接して位置決めする位置決め部材を備え
該位置決め構造に消火器の有無状態の変化を前記覗き窓から確認する認識マークを設け
位置決め構造に消火器の有無状態の変化を覗き窓から確認する認識マークを設けたことを特徴とする。
【００１３】
また位置決め構造は、
筐体底部に配置された台座と、
消火器配置位置となる円周方向に配置された消火器底部受け部材を備える。
【００１４】
また位置決め構造は、
消火器配置位置の後方側に設けられ消火器を着脱自在に挟み込んで所定位置に保持する挟み込みバンドを備える。
【発明の効果】
【００１６】
本発明によれば、位置決め機構によって、覗き窓を備えた消火器扉の内側の消火器収納部に収納された消火器は、常に、覗き窓を通して外部から確実に視認可能な決まった位置に収納することができ、例えば点検車両からトンネル壁面に向けてライトからの光を当てて走行しながら確認する点検作業などを行っても、所定間隔で設置されている筐体内の消火器収納状態は全て同じとなり、覗き窓を通して走行しながらであっても、消火器の有無を確実に判断することができる。火災時の操作者が外部から消火器を認識して確実に消火動作を開始することができる。また、位置決め構造に消火器の有無状態の変化を覗き窓から確認する認識マークを設けていることから、その認識マークが観察できる場合は消火器がないことを容易に認識することができる。
【図面の簡単な説明】
【００１７】
【図１】本発明によるトンネル消火栓装置の実施形態を示した説明図
【図２】図１の消火器扉を開いた状態を示した説明図
【図３】図２の消火栓扉を開いた状態で内部構造を示した平面図
【図４】図３の消火器位置決め構造を取り出してその実施形態を示した説明図
【図５】位置決めピンを用いた消火器位置決め構造の他の実施形態を示した説明図
【図６】底部受け部材を用いた消火器位置決め構造の他の実施形態を示した説明図
【図７】底部受け部材を用いた消火器位置決め構造の他の実施形態を示した説明図
【図８】底部受け部材を用いた消火器位置決め構造の他の実施形態を示した説明図
【図９】挟み込みバンドを用いた消火器位置決め構造他の実施形態を示した説明図
【発明を実施するための形態】
【００１８】
図１は本発明によるトンネルに設置される消火栓装置の実施形態を示した正面図である。図１において、消火栓装置１０は、消火栓側の筐体１２−１と消火器側の筐体１２−２に分割した構造であり、前面に化粧板１４−１，１４−２を装着しており、筐体１２−１、１２−２に対し必要な機器及び部材を組付けた後に連結固定部１５で筐体側面同士を連結固定した状態とし、この状態でトンネル現場に搬入して架台１１上に設置している。
【００１９】
化粧板１４−１，１４−２には扉開口部１６，１７が設けられている。筐体１２−１の扉開口部１６は上下に２分割され、下側扉開口部に消火栓扉１８を配置し、上側扉開口部に保守扉２２を配置しており、その内部がホース収納空間及びバルブ類収納空間となっている。
【００２０】
消火栓扉１８は、扉開口部１６に対し下側の軸となるヒンジ２１を中心に下向きに開閉自在に設けられており、マグネットと受け板を用いた下扉ロック機構７０により閉止位置に閉じている。消火栓扉１８は、ハンドル２０を手前に引いて下扉ロック機構７０の磁気吸着によるロックを外すことで前方に開閉することができる。
【００２１】
消火栓扉１８の上には上向きに開閉する保守扉２２が設けられており、マグネットと受け板を用いた上扉ロック機構６８により閉止位置に閉じられており、点検時に消火栓扉１８を開いて内側のロックを外すことで開くことができる。また、筐体１２−１の上部両側には装置を吊り下げるための吊り輪２５が取り付けられている。
【００２２】
第２筐体１２−２の扉開口部１７の右側には通報装置扉２４が設けられ、ここに赤色表示灯２６、発信機２８、及び応答ランプ３０を設けている。
【００２３】
扉開口部１７の左側には消火器扉３２が設けられ、消火器扉３２に対応した筐体１２−２の内部を消火器収納空間とし、例えば２本の消火器３７を収納している。消火器扉３２にはハンドル３４が設けられ、ハンドル３４を手前に引くとラッチが外れ、消火器扉３２は左側をヒンジとして前方に開くことができる。また、消火器扉３４の下側には覗き窓３５が設けられ、外部から消火器の収納状態の有無を確認できるようにしている。
【００２４】
図２は図１について、筐体１２−２側の消火器扉３２を開き、筐体１２−１側については消火栓扉１８を外し、保守扉２２は上向きに開いてステー２７で支持した状態で内部構造を示した正面図である。なお、保守扉２２は、消火栓装置の保守以外には通常閉じられており、消火作業時も閉められたままで消火栓扉１８のみ開放される。
【００２５】
図２において、筐体１２−１の左側にはホース収納空間３６が形成され、右側にバルブ類収納空間３８を形成している。ホース収納空間３６には、ホースバケット構造が設けられる。ホースバケット構造にはフレームパイプを屈曲して水平方向で上下に配置したフレーム部分を持つバケットフレーム４０が配置され、内部にホース収納空間を形成している。
【００２６】
バケットフレーム４０の中央から右側にオフセットした位置、即ち扉開口部１６の左右方向における略中央となる位置に、Ｕ字形パイプフレームを固定することで縦方向に２本のホースガイド４２が位置してホース取出口４５を仕切り形成している。更に、ホース取出口４５の下側には、前方に張出し形成された張出ホースガイド４７を設けている。
【００２７】
バケットフレーム４０及び筐体内壁で囲まれたホース収納空間３６にはホース４４が内巻きして収納されている。ここで、右側のバルブ類収納空間３８の下部にはホース接続口４６が配置されており、ホース接続口４６にホース４４の１次側を接続した後、ホース４４をホース収納空間３６に巻き込むことになるが、この場合のホース４４の巻き込みは、扉開口部１６から見て右巻きとなるようにホース４４を巻き込んでいる。
【００２８】
ノズル４８は放水部４８ａとハンドル４８ｂから構成されており、ノズルホルダー５０に対し放水部４８ａの横向きに保持した状態で、ハンドル４８ｂは放水部４８ａの下側に位置して消火栓扉１８の開放による下側扉開口部の中央方向に向くように保持されている。
【００２９】
筐体１２−１に設けたホース収納空間３６の右側に配置したバルブ類収納空間３８には、ポンプ設備からの配管が接続される消火栓接続口からホース接続口４６に至る配管系統に、給水弁５１、消火栓弁、自動調圧弁、自動排水弁、安全弁及びメンテナンス装置を設けている。
【００３０】
このうち消火栓弁に設けた消火栓弁開閉レバー６４に対応して操作案内用の銘板６６が設けられており、銘板６６の裏側に消火栓弁、自動調圧弁、自動排水弁、安全弁が配置されている。
【００３１】
筐体１２−２側については、消火器扉３２を左側に開いた内部の消火器収納空間３８には２本の消火器３７が収納されている。消火器３７は後の説明で明らかにする消火器位置決め構造の位置決めプレート７６により、図１のように消火器扉３２を閉じた状態で覗き窓３５を通して２本の消火器３７が収納されていることが確実に視認できる所定の位置への位置決めにより収納されている。
【００３２】
図３は、図１について内部構造を示した平面図である。図３において、筐体１２−１と筐体１２−２は連結固定部１５においてボルトにより各筐体の側面同士が連結固定されている。筐体１２−１のホース収納空間３６には平面から見て横Ｌ字形にバケットフレーム４０が配置され、筐体内壁との間に形成したホース収納空間３６にホース４４を右巻きにより内巻き状態で収納している。また、消火器収納空間３９には２本の消火器３７が消火器扉３２の覗き窓３５を介して外部から見える位置に規制されて収納されている。
【００３３】
更に、バケットフレーム４０における前面右端にはノズルホルダー５０が取り付けられ、ノズルを横向きに着脱自在に保持できるようにしている。
【００３４】
筐体１２−２側の消火器収納空間３９には、２本の消火器３７の収納位置を所定位置に位置決めする消火器位置決め構造が設けている。消火器位置決め構造は、消火器収納空間３９の底部に台座７２を配置し、台座７２の所定位置に２つの位置決めプレート７６を起立し、位置決めプレート７６は平面から見て前方に開いた山形であり、山形のコーナー部分に消火器３７の背後側円筒底部を当てることでセンタリングと位置決めを行っている。
【００３５】
図４は図３に示した消火器位置決め構造を説明する図であり、図４（Ａ）に消火器位置決め構造を取り出した斜視状態を、図４（Ｂ）に筐体１２−２に設置した状態の側面図を示している。図４において、消火器収納空間の底部に配置される台座７２の後方側には平面山形の位置決めプレート７６が起立され、消火器底部の後方をコーナー部分に当接して位置決めするようにしている。
【００３６】
位置決めプレート７６で決まる消火器収納位置は、図１に示したように、消火器扉３２の覗き窓３５を通して見たときに、２本の消火器３７の両方が略均等に見えるような位置としている。さらに消火器収納位置は、消火器を扉開口部１７から引き出す際に、扉開口部１７が引き出す操作に悪影響を与えずに取り出しやすい位置としている。
【００３７】
台座７２の前方上端部からは、前方斜め上方に向かい、さらに筐体底面と水平前方に折れたくの字状の面を有する化粧板保護カバー７４を備えている。図４（Ｂ）に示すように化粧板１４−２の扉開口部１７の下縁面は第２筐体１２−２の底面よりも高い位置で開口しているため、消火器を第２筐体底部にそのままおくと、消火器を取り出す際に消火器下部が扉開口部１７の下縁面に接触して、化粧板１４−２を損傷する可能性がある。
【００３８】
そこで、本実施形態は図４（Ｂ）に示すように台座７２を第２筐体１２−２の下面に設置すると、台座前方の化粧板保護カバー７４の前面板が化粧板１４−２の扉開口部１７の下縁と消火器扉３２の間に位置し、消火器を台座７２から前方にスライドして取り出しても、化粧板保護カバー７４の表面を移動するため、扉開口部１７の下端面を損傷することを防いでいる。
【００３９】
また、位置決めプレート７６により消火器が規定の位置に置かれて保管されることで、消火器は規定位置から前方に引き出す操作となることから、消火器を取り出しやすく、また扉開口部１７の周縁を損傷することを防いでいる。
【００４０】
なお、消火器の設置高さ位置を扉開口部１７の下端高さに近づけるために台座７２を設けて消火器の取り出しやすくしているが、必ずしも台座７２を設ける必要はなく、第２筐体底面に位置決めプレートを直接設置する構成であってもよい。また第２筐体底面から化粧板保護カバー７４を扉開口部１７下端側に伸ばして設けるようにしてもよい。
【００４１】
このように消火器収納空間３９に収納する消火器の位置が、覗き窓から見て所定の決まった見易い位置に収納されているため、点検車両からトンネル壁面に向けてライトからの光を当てて走行しながら確認する点検作業などを行っても、５０メートル間隔で設置されている消火栓装置の消火器収納状態は全て同じとなり、覗き窓を通して走行しながらであっても、消火器の有無を確実に判断することができる。
【００４２】
なお、覗き窓を通して消火器の確認作業を更に確実で容易なものとするためには、例えば覗き窓から見える位置の消火器側面に、蛍光塗料や反射塗料などを使用したマーカーを貼り付けておくことが望ましい。
【００４３】
また、消火器収納空間の内部背面に反射塗料を塗布したり、反射マーカーを貼るようにしても良く、消火器が収納されているかどうかをマーカーの有無による確認で確実且つ容易に行うことができる。
【００４４】
位置決めプレート７６を覗き窓３５から見える高さに設定し、前面に蛍光塗料や反射材を塗布することで、消火器が設置されているときは蛍光塗料などが隠れ、消火器がない場合には蛍光塗料等が露出することで外部から消火器の設置状態を確認することもできる。
【００４５】
また、位置決めプレート７６の前方の消火器が置かれる規定位置の台座表面部分に、消火器が正しく置かれるように、例えば丸形状のマークなどの消火器底部の形状と合わせたマークを記載してもよい。
【００４６】
図５は消火器位置決め構造の他の実施形態を示した説明図あり、図５（Ａ）に平面を、図５（Ｂ）に斜視状態を示している。図５において、消火器収納空間の底部に配置される台座７２は、箱形の部材であり、台座面の所定位置の２箇所に消火器を載置する設置位置マーク７７を記載し、マーク７７の後方側の台座面の２箇所に位置決めピン７８を起立し、消火器底部の後方を２本の位置決めピン７８に当接して位置決めするようにしている。台座７２の消火器が設置される位置には、消火器を設置する目安となる円形状の設置位置マーク７７が描かれている。
【００４７】
この実施形態にあっては、位置決めピン７８を用いることで、図４の位置決めプレート７６を用いた場合に比べ、構造が簡単でコストを低減できる。また図５の実施形態にあっても、消火器収納空間に収納する消火器の位置が、覗き窓から見て所定の決まった見易い位置に収納されているため、覗き窓を通して走行しながらであっても、消火器の有無を確実に判断することができる。さらに消火器が扉開口部を損傷することなく、消火器を容易に取り出すことができる。
【００４８】
図６は消火器位置決め構造の他の実施形態を示した説明図あり、図６（Ａ）に平面を、図６（Ｂ）に斜視状態を示している。図６において、消火器収納空間の底部に配置される台座７２は１枚のプレート部材であり、台座面の所定位置の２箇所に、底部受け部材８０を消火器配置位置となる円周方向の少なくとも３ケ所に分けて配置している。
【００４９】
底部受け部材８０は、位置決め部８０ａ、受け座部８０ｂ、支持部８０ｃ及び台座部８０ｄを備えた平面から見て扇形の部材であり、３個を一組として設置している。
また台座７２の前方には図４と同様の化粧板保護カバーを備えている。
【００５０】
図６の実施形態にあっても、消火器収納空間に収納する消火器の位置が、覗き窓から見て所定の決まった見易い位置に収納されているため、覗き窓を通して走行しながらであっても、消火器の有無を確実に判断することができる。なお、底部受け部材８０は３個で構成するものに限らず、例えば略半円状の２個部材で形成しても良い。
【００５１】
図７は消火器位置決め構造の他の実施形態を示した説明図あり、図６の底部受け部材８０に代わりとなる部材を示している。消火器が入る２つの穴を有する八の字状の位置決め部８１ｄの外周に支持部８１ａを備えて位置決め部８１ｄを所定高さ位置に固定し、内周に消火器底部を保持する受け座部８１ｂを３箇所に設けている。底部受け部材８１は台座７２や筐体１２−２の底面に溶接される。
【００５２】
図８は消火器位置決め構造の他の実施形態を示した説明図あり、図８（Ａ）に斜視図を、図８（Ｂ）に筐体１２−２に設置した状態の側面図を、図８（Ｃ）に正面図を示している。図８（Ａ）に示すように台座７２の前方から後ろ斜め上方へ消火器を収納するためのプレート９０を備えており、プレート９０には消火器を収納するための２つの穴９１を備えている。さらに収納穴９１の後方には消火器の設置状態を識別するためのマーカ９３を記載した識別板９２を形成している。
【００５３】
台座７２の高さは図８（Ｂ）に示すように化粧板１４−２の扉開口部１７の下端位置にそろえた高さとしている。またプレート９０の識別板９２のマーク９３は、消火器扉３２の覗き窓３５を介して装置外部から認識できる位置としている。消火器３７が収納穴９１に収納されているときはマーク９３は隠れ、取り外されてたときにマーク９３が現れることから、消火器の状態を確実容易に認識することができる。マーク９３は斜めに設けられたプレート９０の表面で消火器の背後の位置に設けてもよい。
【００５４】
斜めのプレート９０に収納穴９１を備えたことにより、消火器を取り出すときには、消火器を収納穴から出すように前方に持ち上げて引き出す動作をすることで、消火器が扉開口部１７の下端にぶつかって損傷させることを防ぐことができる。
【００５５】
図９は消火器位置決め構造の他の実施形態を示した説明図あり、図９（Ａ）に正面を、図９（Ｂ）に平面を、図９（Ｃ）に側面を示している。図９において、消火器収納空間の底部に配置される台座７２は１枚のプレート部材であり、台座７２の後部にＴ字形の支持部材８２を起立している。支持部材８２の左右の張り出し部分には挟み込みバンド８４が背後からの固定部材８６により前方に向けて固定されている。
【００５６】
挟み込みバンド８４は、先端側が開いたリング形状であり、樹脂、弾性金属、ゴムなど可撓性のある材料を使用して前方を開いたリング状に形成して消火器を着脱自在とし、消火器３７の胴部上側を挟み込んで所定の収納位置に保持している。
【００５７】
図９の実施形態にあっても、消火器収納空間に収納する消火器の位置が、覗き窓から見て所定の決まった見易い位置に収納されているため、覗き窓を通して走行しながらであっても、消火器の有無を確実に判断することができる。挟み込みバンド８４を覗く窓から覗ける位置に配置して、挟み込みバンド８４を蛍光色などの目立つ発光色にして、もしくは支持部材８２の表面に蛍光色などの識別マークを付与して、消火器の有無の状態を認識氏訳して、点検をより確実に効率よく行えるようにしても良い。
【００５８】
なお、図４及び図５の実施形態にあっては、台座７２に収納穴７４を形成しているが、収納穴７４を設けずに、位置決めプレート７６または位置決めピン７８を設けるだけであっても良い。
【００５９】
また本発明は、その目的と利点を損なうことのない適宜の変形を含み、更に上記の実施形態に示した数値による限定は受けない。
【符号の説明】
【００６０】
１０：消火栓装置
１２−１，１２−２：筐体
３２：消火器扉
３５：覗き窓
３７：消火器
７２：台座
７４：収納穴
７６：位置決めプレート
７８：位置決めピン
８０：底部受け部材
８２：支持部材
８４：挟み込みバンド
８６：固定部材
【図１】
0005399812.tif 000002
【図２】
0005399812.tif 000003
【図３】
0005399812.tif 000004
【図４】
0005399812.tif 000005
【図５】
0005399812.tif 000006
【図６】
0005399812.tif 000007
【図７】
0005399812.tif 000008
【図８】
0005399812.tif 000009
【図９】
0005399812.tif 000010